(57)【要約】 【課題】  バッテリポストへの嵌合方向とボルトの絞め込み方向が同一のバッテリターミナルを提供する。【解決手段】  バッテリポストを取り囲むように金属帯材を環形に回曲して形成された電極保持部と、その電極保持部の両端から外方に向けて対向状に延出された一対の側面部と、電極保持部の回曲部分から延出されて電線との接続を行うバレル部と、両側面部の上端部間に架設された上面部と、両側面部によって挟持された押付部材と、上面部に設けられたボルト孔に螺合可能で、かつバッテリポストと電極保持部の嵌合方向に沿って締め込み可能なボルトとから構成されているバッテリターミナルであって、押付部材は、ボルトの締め込みにともなって、押し下げられ、バッテリポストへの固定を行う。【選択図】  図５
2006196226.tif 000002
【特許請求の範囲】
【請求項１】
バッテリポストを取り囲むように金属帯材を環形に回曲して形成された電極保持部と、その電極保持部の両端から外方に向けて対向状に延出された一対の側面部と、前記電極保持部の回曲部分から延出されて電線との接続を行うバレル部と、前記両側面部の上端部間に架設された上面部と、前記両側面部によって挟持された押付部材と、前記上面部に設けられたボルト孔に螺合可能で、かつ前記バッテリポストと前記電極保持部の嵌合方向に沿って締め込み可能なボルトとから構成されているバッテリターミナルにおいて、
前記バッテリポストの側面は上方に向けて上り勾配をなすテーパ状に形成されており、
前記側面部と前記押付部材との間には、前記押付部材の移動動作を案内するカム機構が設けられ、このカム機構は、前記押付部材を前記両側面部に組み付けた状態であってかつ前記バッテリポストへの装着前における初期位置においては、前記押付部材が前記バッテリポストの上部を前記回曲部分との間で接触状態で挟み込み可能に設定され、前記電極保持部を前記バッテリポストに装着することにともなって前記接触状態を保ちながら上方に移動可能とし、
前記押付部材は、上記移動の後には、前記ボルトの締め込みによって、押し下げ可能となっていることを特徴とするバッテリターミナル。
【請求項２】
前記カム機構は、前記側面部側にはカム溝が設けられ、前記押付部材側にはカム軸が外方に突出して、カム溝内で移動可能に挿通して設けられていることを特徴とする請求項１記載のバッテリターミナル。
【請求項３】
前記押付部材における前記バッテリポストとの接触面は、前記バッテリポストの側面の前記テーパ形状に適合して押圧可能とされていることを特徴とする請求項１または請求項２記載のバッテリターミナル。
【発明の詳細な説明】
【技術分野】
【０００１】
本発明は、バッテリターミナルの構造に関する。
【背景技術】
【０００２】
従来、この種のバッテリターミナルとしては、下記特許文献１に記載されているように、ボルトによって締め込みを行うものが知られている。このものは、金属帯材を環形に回曲して電極保持部が形成されるとともに、その両端から一対の脚片が対向状に延出して形成され、この脚片にはボルト孔が貫通形成されている。そして、電極保持部をバッテリに突設されたバッテリポストに嵌合したのち、ボルト孔に通されたボルトにナットを螺合して締め付けると両脚片が互いに引き寄せられて電極保持部が縮径変形される。これにより、電極保持部はバッテリポストの側面に押し付けられてバッテリポストとの接続が図られる。
【特許文献１】特開平８−３１５８８９号公報
【発明の開示】
【発明が解決しようとする課題】
【０００３】
この種のバッテリターミナルは、車載用として用いられることが多く、近年、エンジン周りの小型化に伴って、バッテリターミナルの側面部周辺には、他の部品が密集して組み付けられている。上記のバッテリターミナルは、ボルトがバッテリポストへの嵌合方向と直交する方向に絞め込まれるため、バッテリーターミナルの側方において、ボルトの付け外しに必要な作業スペースを確保する必要がある。しかしながら、バッテリターミナルの側方には、前述の理由により、十分な作業スペースを確保することができない。  
本発明は上記のような事情に基づいて完成されたものであって、ボルトの締め込み方向をバッテリーポストへの嵌合方向と同一にすることで、バッテリポストの嵌合方向手前側において、ボルトの付け外し作業を実施可能にすることを目的とする。
【課題を解決するための手段】
【０００４】
上記の目的を達成するための手段として、請求項１の発明は、バッテリポストを取り囲むように金属帯材を環形に回曲して形成された電極保持部と、その電極保持部の両端から外方に向けて対向状に延出された一対の側面部と、前記電極保持部の回曲部分から延出されて電線との接続を行うバレル部と、前記両側面部の上端部間に架設された上面部と、前記両側面部によって挟持された押付部材と、前記上面部に設けられたボルト孔に螺合可能で、かつ前記バッテリポストと前記電極保持部の嵌合方向に沿って締め込み可能なボルトとから構成されているバッテリターミナルにおいて、前記バッテリポストの側面は上方に向けて上り勾配をなすテーパ状に形成されており、前記側面部と前記押付部材との間には、前記押付部材の移動動作を案内するカム機構が設けられ、このカム機構は、前記押付部材を前記両側面部に組み付けた状態であってかつ前記バッテリポストへの装着前における初期位置においては、前記押付部材が前記バッテリポストの上部を前記回曲部分との間で接触状態で挟み込み可能に設定され、前記電極保持部を前記バッテリポストに装着することにともなって前記接触状態を保ちながら上方に移動可能とし、前記押付部材は、上記移動の後には、前記ボルトの締め込みによって、押し下げ可能となっている構成としたところに特徴を有する。
【０００５】
請求項２の発明は、請求項１に記載のものにおいて、前記カム機構は、前記側面部側にはカム溝が設けられ、前記押付部材側にはカム軸が外方に突出して、カム溝内で移動可能に挿通して設けられているところに特徴を有する。
【０００６】
請求項３の発明は、請求項１または請求項２に記載のものにおいて、前記押付部材における前記バッテリポストとの接触面は、前記バッテリポストの側面の前記テーパ形状に適合して押圧可能とされているところに特徴を有する。
【発明の効果】
【０００７】
＜請求項１および請求項２の発明＞
請求項１および請求項２の発明によると、バッテリポストへの嵌合方向とボルトの絞め込み方向を同一にして、かつボルトの絞め込みに伴い、電極保持部とバッテリポストとの接続を可能としたから、ボルトの付け外し作業を、バッテリポストへの嵌合方向手前側にて行うことが可能となり、十分な作業スペースを確保することができる。
【０００８】
＜請求項３の発明＞
請求項３の発明によると、押付部材におけるバッテリポストの側面との接触面をバッテリポストの側面のテーパ形状に適合するようにして形成したから、ボルトの締め込みに伴って発生する押付力をバッテリポストの側面に対して確実に伝達することができる。
【発明を実施するための最良の形態】
【０００９】
＜実施形態１＞
本発明の実施形態１を図１ないし図５によって説明する。尚、本実施形態における前後方向とは、図３における左右方向を基準として左側を前方向とし、上下方向とは、図３における上下方向を基準とし、左右方向とは、図３における紙面と直交する方向を基準として紙面手前側を右側とする。  
実施形態１におけるバッテリターミナル１０は、導電性を有する金属帯材から形成されており、図１に示すように、略前半部分には、バッテリＢとの接続を行う電極保持部１１が設けられるとともに、略後半部分には、電線Ｗ（図示しない）との接続を行うバレル部１２が設けられている。
【００１０】
電極保持部１１における略後半部分には、上述の金属帯材を環形に曲げ加工した回曲部分１３が前方に開いた形状で形成されている。一方、バッテリポスト１５は、図３〜図５に示すように、自動車等に搭載されるバッテリＢに突設された電極であって、鉛を素材として上端側に向けて次第に径の小さくなったテーパ状の円柱形に形成されており、付け根部分には段差部１９が設けられている。回曲部分１３は、図４に示すように、バッテリポスト１６に嵌合された状態においては、回曲部分１３の下端部が段差部１９の上面に当接し、バッテリポスト１６の上面と回曲部分１３の上面とが面一をなすように高さ設定がされている。
【００１１】
バッテリターミナル１０は、回曲部分１３がバッテリポスト１５のテーパ形状に適合するようにしてテーパ状に形成されており、回曲部分１３をバッテリポスト１５に嵌合することで、バッテリＢとの電気的接続が図られる。また、回曲部分１３の内周面には、複数本の上下方向を向いた食い込み溝１８が円周方向に等間隔を開けて凹設されており、バッテリポスト１５の側面１６を食い込ませることで、回曲部分１３とバッテリポスト１５との間の保持力を高めるように機能している。
【００１２】
バレル部１２は、回曲部分１３の後部下端から後方に向けて延出されており、その延出端は９０°下方に折り曲げられるとともに、その折り曲げられた部分の幅方向両端部分から後方に向けて電線保持部１２Ａが延出されている。従って、電線Ｗは、上下方向を向いた状態で、両電線保持部１２Ａ，１２Ａによって挟み込まれて圧着される。また、両電線保持部１２Ａ，１２Ａの内側面には、電線食い込み部１２Ｂが上下方向に所定の間隔を開けて凹設されており、電線Ｗの抜止めを強化するように機能している。
【００１３】
電極保持部１１における略前半部分は、挟持部１４とされており、その内部には押付部材２０が収容されている。挟持部１４は、回曲部分１３前部における両端部分から前方に延出された左側面部２２Ａおよび右側面部２２Ｂと、左側面部２２Ａの上端から右側面部２２Ｂの上端に架設されて、その先端部分が右側面部２２Ｂの外側面に沿って９０°下方に折り曲げられた上面部２１と、右側面部２２Ｂの下端から左側面部２２Ａの下端に向けて延出されて、その延出端が左側面部２２Ａの外側面に沿って９０°上方に折り曲げられた下面部２３とによって、全体として略角筒形状をなすように形成されている。
【００１４】
挟持部１４の上面部２１中央には、ボルト孔２５が設けられており、このボルト孔２５の周縁部は、図３に示すように、下方に向けて延設されている。ボルト孔２５は、その周縁部の内周面において、螺子が刻設されており、ボルト２４が上下方向に螺合可能とされている。ボルト２４は、図３に示すように、電極保持部１１をバッテリポスト１５に嵌合する前における初期位置（以下、単に初期位置という）においては、ボルト２４の略下半分がボルト孔２５に螺合された状態で保持されており、バッテリポスト１５内に収容された押付部材２０の自由な上昇を阻害しないような上下位置に設定されている。
【００１５】
押付部材２０は、断面略方形のブロック状に形成されており、その上面部分は、後端付近で一段高く形成されるとともに、後端面はバッテリポスト１５の側面１６のテーパ形状に適合してテーパ状に形成された接触面２９とされている。また、押付部材２０の左右方向両側面における略中央部分には、断面略円形の柱状をなす一対のカム軸２７，２７が突出形成されている。押付部材２０は、両カム軸２７，２７を、挟持部１４の両側面部２２Ａ，２２Ｂに設けられた両カム溝２８，２８内に挿通することで挟持され、両カム軸２７，２７が両カム溝２８，２８内で遊動可能とされている。
【００１６】
カム溝２８は、両側面部２２Ａ，２２Ｂの略中央部において、上下方向に長い略小判形の貫通した形状で、かつ下方にいくにしたがってバッテリポスト１５に近づくように形成されている。初期位置においては、押付部材２０の接触面２９と対向する回曲部分１３との間の距離がバッテリポスト１５の上部を挟み込み可能な長さに設定されるとともに、バッテリポスト１５の下部における直径よりも小さめの長さに設定されている。押付部材２０は、上述のような構造をとるため、バッテリポスト１５を回曲部分１３に嵌合していくと、接触面２９においてバッテリポスト１５の側面１６と摺接しながら、前方斜め上方へと持ち上げられ、嵌合完了位置（図４に示す位置）に到達すると、押付部材２０が接触面２９においてバッテリポスト１５の側面１６との接触状態を保ちつつ、下方への移動が規制された状態となるように、カム溝２８の上端位置が設定されている。
【００１７】
次に、本実施形態の作用について説明する。  
まず、所定の形状に金属平板を打ち抜いた後、曲げ加工を行う等して、バッテリターミナル１０を形成する。この際、あらかじめ押付部材２０の両カム軸２７，２７を両側面部の両カム溝２８，２８内に挿通するようにして押付部材２０を挟持部１４内に収容しておく。この後、バッテリターミナル１０に対してボルト２４を緩くねじ込んでおく。このとき、ボルト２４は、その下端面がカム溝２８の上端位置よりも少し上方に位置するまで締め込みを行う。
【００１８】
次に、バッテリターミナル１０をバッテリポスト１５の上方から嵌め入れる。バッテリターミナル１０は、初期位置において、接触面２９と回曲部分１３との間でバッテリポスト１５の上部を挟み込み可能なように設定されているから、回曲部分１１の下端部が段差部１９の上面に突き当たるまで嵌め込まれると、嵌合作業に伴って、押付部材２０は、接触面２９においてバッテリポスト１５の側面１６と摺接しながら嵌合完了位置へと持ち上げられる。
【００１９】
この後、ボルト２４の締め込みを行う。ボルト２４の下端面が押付部材２０の上面に当接すると、それ以後のボルト２４の締め込みには所定の負荷が加わる。さらにボルト２４を強く締め込んでいくと、押付部材２０は、カム溝２８の形状に従って、接触部２９を通じて、バッテリポスト１５の側面１６を押し付けることになるため、バッテリポスト１５を接触部２９と回曲部分１３との間で強く挟み付けるように作用する。こうして、バッテリターミナル１０は、バッテリＢの側方においてボルト２４の締め込み作業に必要なスペースを確保することができない場合であっても、バッテリポスト１５への嵌合方向手前側においてボルト２４の締め込み作業を行うことができる。また、バッテリターミナル１０をバッテリポスト１５から離脱する作業においても、同様にして、ボルト２４の外し作業をバッテリポスト１５への嵌合方向手前側において実施することができる。
【００２０】
以上のように、本実施形態においては、バッテリポスト１５への嵌合方向とボルト２４の絞め込み方向を同一にして、かつボルト２４の絞め込みに伴い、電極保持部１１とバッテリポスト１５との接続を可能としたから、ボルト２４の付け外し作業を、バッテリポスト１５への嵌合方向手前側にて行うことが可能となり、十分な作業スペースを確保することができる。また、押付部材２０におけるバッテリポスト１５の側面１６との接触面１９をバッテリポスト１５の側面１６のテーパ形状に適合するようにして形成したから、ボルト２４の締め込みに伴って発生する押付力をバッテリポスト１５の側面１６に対して確実に伝達することができる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２２】
（１）実施形態１では、カム軸が断面略円形のものを例示したが、断面略円形のものに限定されることはなく、断面略方形のものであってもよい。
【００２３】
（２）実施形態１では、カム軸がカム溝に沿って直線状に移動するものを例示したが、曲線状に移動するものとしてもよい。
【００２４】
（３）実施形態１では、接触面が平面形状のものを例示したが、バッテリポストの表面形状に適合するように曲面形状としてもよい。
【００２５】
（４）実施形態１では、接触面がテーパ形状のものを例示したが、バッテリポストへの嵌合方向と平行な平面形状としてもよい。
【００２６】
（５）実施形態１では、カム軸を押付部材側に設けて、カム溝を側面部側に設けたものを例示したが、カム軸を側面部側に設けて、カム溝を押付部材側に設けたものであってもよい。例えば、カム軸は側面部において内方に向かって叩き出すことによって形成してもよい。
【図面の簡単な説明】
【００２７】
【図１】本実施形態におけるバッテリターミナルの斜視図
【図２】本実施形態におけるバッテリターミナルの分解斜視図
【図３】初期位置におけるバッテリターミナルおよびバッテリポストの縦断面図
【図４】嵌合完了位置におけるボルトの締め込み前のバッテリターミナルおよびバッテリポストの縦断面図
【図５】嵌合完了位置におけるボルトの締め込み後のバッテリターミナルおよびバッテリポストの縦断面図
【符号の説明】
【００２８】
１０…バッテリターミナル
１１…電極保持部
１２…バレル部
１３…回曲部分
１５…バッテリポスト
１６…バッテリポストの側面
２０…押付部材
２１…上面部
２４…ボルト
２５…ボルト孔
２６…カム機構
２７…カム軸
２８…カム溝
２９…接触面
【図１】
2006196226.tif 000003
【図２】
2006196226.tif 000004
【図３】
2006196226.tif 000005
【図４】
2006196226.tif 000006
【図５】
2006196226.tif 000007